(57)【要約】  温室用建物（２）の外周の壁面枠組を単管などの線材を用いて構成し、屋根組を、前後左右方向に引張状態で架け渡した引張ワイヤ（１１〜１４）によって構成する。引張ワイヤの引張力を、アンカー用引張ワイヤ（１５、１７、１８）によって、設置面で受ける。壁面枠組の各支柱には圧縮力のみが作用し、曲げ力が実質的に作用しない。小径の単管等の線材を用いて大きな建物を簡単に構築できる。鉄骨材等の重量建材を用いることなく、採光率の高い大きな温室を簡単に構築できる。
2017030189.tif 000002
【特許請求の範囲】
【請求項１】
左右方向に所定の間隔で設置面に立てた妻側支柱、当該妻側支柱の上端部を繋ぐ垂木材、および、前記妻側支柱に水平に架け渡した妻側横架材によって構成される前後の妻側壁面枠組と、
前後方向に所定の間隔で前記設置面に立てた平側支柱、および、当該平側支柱の上端部の間に水平に架け渡した平側横架材によって構成される左右の平側壁面枠組と、
左右の前記平側壁面枠組の間において、前記前後方向に所定の間隔で前記設置面に立てた中央支柱、および、当該中央支柱の上端部に水平に架け渡した棟材によって構成される中央枠組と、
前後の前記妻側壁面枠組の上端部の間に、前記左右方向に所定の間隔で、緊張状態に張り渡した屋根面前後方向引張材、および、左右の前記平側壁面枠組の上端部の間に、前記前後方向に所定の間隔で、前記棟材を経由させて緊張状態に張り渡した屋根面左右方向引張材によって構成される屋根面と、
前後の前記妻側壁面枠組の前記上端部の間に、左右方向に所定の間隔で、緊張状態に張り渡した天井面前後方向引張材、および、左右の前記平側壁面枠組の前記上端部の間に、前記前後方向に所定の間隔で、緊張状態に張り渡した天井面左右方向引張材によって構成される天井面と、
前後の前記妻側壁面枠組の前記上端部と前記設置面との間に、前記左右方向に所定の間隔で、緊張状態に張り渡した妻側アンカー用引張材と、
左右の前記平側壁面枠組の前記上端部と前記設置面との間に、前記前後方向に所定の間隔で、緊張状態に架け渡した平側アンカー用引張材と
を有している引張構造の建物。
【請求項２】
請求項１において、
前記平側アンカー用引張材および前記妻側アンカー用引張材のうちの少なくとも一方は、上部ワイヤと、設置面から引き出した下部引出ワイヤと、前記上部ワイヤおよび前記下部引出ワイヤの間を繋ぐ張力調整部材とを備えており、
前記上部ワイヤおよび前記下部引出ワイヤのうちの少なくとも一方は、ワイヤ架け渡し長さを調整可能な調整部を備えている
引張構造の建物。
【請求項３】
請求項１において、
前記妻側壁面枠組、前記平側壁面枠組、および、前記屋根面のうちの少なくとも一つに張り付けた透光性パネルあるいは透光性フィルムを有している請求項１に記載の引張構造の建物。
【請求項４】
請求項１において、
前記屋根面に沿って、所定の間隔で、前後方向あるいは左右方向に延びる長尺状のフィルム止め材と、
前記フィルム止め材を上側から覆う状態に、前記屋根面に張り付けた透光性フィルムと
を有しており、
前記フィルム止め材は、その長さ方向に延び、上方に開口するフィルム止め溝を備え、
前記フィルム止め溝内に、前記透光性フィルムの一部が上側から挿入されて、当該フィルム止め溝から外れないように固定されている
引張構造の建物。
【請求項５】
請求項１において、
前記屋根面に沿って、所定の間隔で、前記左右方向に延び、前記棟材および前記平側壁面枠組の前記上端部の間に架け渡されているフィルム止め材と、
前記フィルム止め材に所定の張力を付与している張力付与部材と、
前記フィルム止め材を上側から覆う状態に、前記屋根面に配置された可撓性の透光性フィルムと
を有しており、
前記フィルム止め材は、その長さ方向に延び、上方に開口するフィルム止め溝を備え、
前記フィルム止め溝内に、前記透光性フィルムの一部が上側から挿入されて、当該フィルム止め溝から外れないように固定されている
引張構造の建物。
【請求項６】
請求項１において、
前記屋根面に沿って、所定の間隔で、前記前後方向に延び、前後の前記妻側壁面枠組の前記垂木材の間に架け渡されている長尺状のフィルム止め材と、
前記フィルム止め材を上側から覆う状態に、前記屋根面に配置された透光性フィルムと
を有しており、
前記フィルム止め材は、上方に開口する溝形断面の上側フィルム止め材と、下方に開口する溝形断面の下側フィルム止め材とを備え、
前記下側フィルム止め材の溝内に、前記屋根面前後方向引張材が延びており、
前記上側フィルム止め材と前記下側フィルム止め材の間を、前記屋根面左右方向引張材が通っており、
前記上側フィルム止め材のフィルム止め溝内に前記透光性フィルムの一部が上側から挿入されて、当該フィルム止め溝から外れないように固定されている引張構造の建物。
【請求項７】
請求項１において、
前記屋根面に張り付けた透光性フィルムを有しており、
前記屋根面の前記棟材から前記左右方向に所定距離の位置に、前記屋根面前後方向引張材に沿って配置した溝形断面の窓枠が配置され、前記棟材と前記窓枠の間は、前記透光性フィルムが張り付けられていない天窓となっており、
前記棟材には、当該棟材に沿って前後方向に延びる溝形断面の峰フィルム止め材が取り付けられており、
前記峰フィルム止め材と前記窓枠との間には、前記屋根面前後方向引張材に沿って配置したローラーガイドが架け渡されており、
前記ローラーガイドの上には、当該ローラーガイドに沿って転動可能な状態で、前記前後方向に延びる巻き上げローラーが配置されており、
前記峰フィルム止め材と前記巻き上げローラーの間に、透光性の天窓開閉用フィルムが張り渡されている引張構造の建物。
【請求項８】
左右方向に連接した少なくとも２棟の建物を備え、
一方の第１の建物および他方の第２の建物は共に、請求項１ないし７のうちのいずれか一つに記載の建物であり、
前記第１の建物と前記第２の建物の間に位置する前記平側壁面枠組は、単一の共通平側壁面枠組となっている連棟式の建物。
【請求項９】
請求項８において、
前記第１の建物の前記屋根面と前記第２の建物の前記屋根面の間の谷部分には、前後方向の中央から前後方向に向けて所定の水勾配の付いた雨樋が配置されている連棟式の建物。
【発明の詳細な説明】
【技術分野】
【０００１】
本発明は、引張構造を用いて建物構造体が構築されている引張構造の建物に関し、特に、野菜、果物等の栽培、その他の植物の生育等のための温室、各種の倉庫、各種のイベント会場等において設置される仮設建物などとして用いる引張構造の建物に関する。
【背景技術】
【０００２】
例えば、大型の温室用建物の構造としては、一般に、鉄骨柱、梁を溶接あるいはボルト締めして構成される剛性枠組が用いられる。また、屋根の構造としては鉄骨材によって組まれたトラス構造等が多用されている。このような剛構造の建物は特許文献１、２、３に記載されている。
【先行技術文献】
【特許文献】
【０００３】
【特許文献１】特開平０９−２５６８３号公報
【特許文献２】特開２０００−３２４９５６号公報
【特許文献３】国際公開第２００４／０６４４９６号
【発明の概要】
【発明が解決しようとする課題】
【０００４】
温室用建物、倉庫、仮設建物等の構造は、壁、屋根を構築するために、各部に作用する荷重等に応じて多種類の部材、部品を必要としている。建物が大型化するほど、使用する柱、梁等の構造材の断面寸法を大きくし、構造材の本数を多くする必要がある。このために、例えば、大規模栽培のため必要とされる温室の建設コストが嵩み、増加した初期投資費用の回収にも時間が掛かる。また、増設の際には、建物全体の強度計算を再度行う必要があり、既設建物の再設計が必要な場合もあり、増設にも手間が掛かり、コストも掛かる。【０００５】
さらに、例えば、温室用建物を大型化した場合には、使用構造材の寸法が大きくなり、壁面、屋根面に占める構造材の面積が増加する。この結果、壁面、屋根面の開口率が低下し、それに応じて採光率が低下してしまう。【０００６】
本発明の課題は、廉価に構築でき、増設・解体が簡単にできる引張構造の建物を提供することにある。【０００７】
本発明の課題は、廉価に構築でき、増設・解体が簡単にでき、十分な採光率を維持できる、温室用建物などとして用いるのに適した引張構造の建物を提供することにある。
【課題を解決するための手段】
【０００８】
本発明の引張構造の建物は、
左右方向に所定の間隔で設置面に立てた妻側支柱、当該妻側支柱の上端部を繋ぐ垂木材、および、前記妻側支柱に水平に架け渡した妻側横架材によって構成される前後の妻側壁面枠組と、
前後方向に所定の間隔で前記設置面に立てた平側支柱、および、当該平側支柱の上端部の間に水平に架け渡した平側横架材によって構成される左右の平側壁面枠組と、
左右の前記平側壁面枠組の間において、前記前後方向に所定の間隔で前記設置面に立てた中央支柱、および、当該中央支柱の上端部に水平に架け渡した棟材によって構成される中央枠組と、
前後の前記妻側壁面枠組の上端部の間に、前記左右方向に所定の間隔で、緊張状態に張り渡した屋根面前後方向引張材、および、左右の前記平側壁面枠組の上端部の間に、前記前後方向に所定の間隔で、前記棟材を経由させて緊張状態に張り渡した屋根面左右方向引張材によって構成される屋根面と、
前後の前記妻側壁面枠組の前記上端部の間に、左右方向に所定の間隔で、緊張状態に張り渡した天井面前後方向引張材、および、左右の前記平側壁面枠組の前記上端部の間に、前記前後方向に所定の間隔で、緊張状態に張り渡した天井面左右方向引張材によって構成される天井面と、
前後の前記妻側壁面枠組の前記上端部と前記設置面との間に、前記左右方向に所定の間隔で、緊張状態に張り渡した妻側アンカー用引張材と、
左右の前記平側壁面枠組の前記上端部と前記設置面との間に、前記前後方向に所定の間隔で、緊張状態に架け渡した平側アンカー用引張材と
を有していることを特徴としている。【０００９】
本発明の引張構造の建物においては、棟材を経由して左右の平側壁面枠組の上端部の間に、引張り状態で、屋根面左右方向引張材および天井面左右方向引張材を架け渡し、これらの引張力を、左右の平側アンカー用引張材を介して設置面で受けている。これらの引張材は、左右の平側壁面枠組および中央枠組の各支柱によって、設置面から所定の高さ位置に支持されている。引張材を支持している各支柱には、それらの軸線方向に圧縮力が作用し、実質的に曲げモーメントが作用しない。【００１０】
同様に、前後の妻側壁面枠組の上端部の間に、引張状態で、屋根面前後方向引張材および天井面前後方向引張材を架け渡し、これらの引張力を、前後の妻側アンカー用引張材を介して設置面で受けている。これらの引張材は、前後の妻側壁面枠組の各支柱によって、設置面から所定の高さ位置に支持されている。引張材を支持している各支柱には、それらの軸線方向に圧縮力が作用し、実質的に曲げモーメントが作用しない。【００１１】
屋根組が、屋根面および天井面に沿って緊張状態で架け渡した前後左右の引張材によって構成されている。したがって、建物内部に支柱等を設けることなく大きな面積の屋根を構築できる。【００１２】
各支柱には軸線方向に圧縮力が作用し、実質的に曲げモーメントが作用しないので、支柱を単管などの廉価な部材とすることができる。また、建物の各部分に使用する支柱を同一断面の部材とすることができる。大きな圧縮荷重が作用する部位、長い支柱が必要とされる部位には、２本あるいは複数本の支柱を用いればよい。【００１３】
建設工事においては、まず、妻側アンカー用引張材および平側アンカー用引張材を取り付けるための基礎および各支柱を設置するための基礎を設置するための基礎工事を行う。次に、直線状の線材である支柱および横架材を、クランプ具を用いて組み合わせて、各枠組を構築する。各枠組を設置した後は、前後方向および左右方向に引張材を架け渡し、妻側アンカー用引張材、平側アンカー用引張材に連結して、各引張材を所定の緊張状態で架け渡された状態を形成する。【００１４】
耐力の大きな基礎、溶接・締結ボルト等による鉄骨材の剛接合部の構築等が不要であり、重量のある鉄骨柱、鉄骨梁などの建築材料が不要である。また、設置面は、水平な平坦面に限らず、傾斜地、不陸な地盤面であってもよい。したがって、建設作業を廉価かつ簡単に行うことができる。【００１５】
屋根組は、その中央の棟材、前後の垂木材および左右の平側横架材以外の部分は、前後左右に所定の間隔で架け渡された引張材が存在するだけであり、屋根面の開口率が大きい。妻側壁面枠組および平側壁面枠組を構成している支柱および横架材は、小断面の線材でよいので、建物の外壁面（妻側壁面、平側壁面）の開口率も大きい。よって、建物全体としての採光率を大きくできる。本発明者等の測定によれば、一般的な大型の温室の採光率は７０％未満であるが、本発明を適用した温室用建物の場合には、９０％を超える採光率を確保できることが確認された。【００１６】
本発明において、平側アンカー用引張材および妻側アンカー用引張材として、金属製あるいはプラスチック製の引張ワイヤ（ワイヤーロープ、ケーブル）を用いることができる。この場合、引張材を、上部ワイヤと、設置面から引き出される下部引出ワイヤと、上部ワイヤおよび下部ワイヤの間に架け渡した張力調整部材（例えば、ターンバックル）から構成することができる。上部ワイヤおよび下部引出ワイヤのうちの少なくとも一方は、ワイヤ架け渡し長さを調整可能な調整部を備えていることが望ましい。張力調整部材、例えば、ターンバックルの操作と、ワイヤの長さ調整の双方を行うことによって、引張材に、必要とされる引張力を確実に付与できる。【００１７】
本発明の建物を、例えば、温室用建物として用いる場合には、妻側壁面枠組、平側壁面枠組、および、屋根面に、透光性パネルあるいは透光性フィルムが張り付けられる。【００１８】
例えば、可撓性の透光性フィルムを用いる場合には、次のようにして、屋根面に透光性フィルムを張り付けることができる。屋根面に沿って、所定の間隔で、前後方向あるいは左右方向に延びる長尺状のフィルム止め材を配置し、このフィルム止め材を上側から覆う状態に、透光性フィルムを配置する。フィルム止め材には、その長さ方向に延びる上方に開口するフィルム止め溝を設け、フィルム止め溝内に、透光性フィルムの一部を上側から挿入して、当該フィルム止め溝から外れないように固定する。【００１９】
屋根面に沿って、所定の間隔で、フィルム止め材を、棟材と左右の妻側壁面枠組の上端部との間に架け渡すことができる。すなわち、屋根勾配に沿った左右方向に、フィルム止め材を架け渡すことができる。フィルム止め材に付着した水滴が、フィルム止め材に沿って流れ落ちる。フィルム止め材に付着した水滴が建物内に落下するすることを防止あるいは抑制できる。【００２０】
この場合、フィルム止め材に所定の張力を付与する張力付与部材を配置して、フィルム止め材を、引張材として利用することができる。例えば、フィルム止め材の一端と、妻側壁面枠組の上端部との間にターンバックルを介在させる。ターンバックルを操作して所定の張力をフィルム止め材に加える。【００２１】
フィルム止め材を屋根面に沿って前後方向に水平に配置する場合には、例えば、フィルム止め材を、上方に開口する溝形断面の上側フィルム止め材と、下方に開口する溝形断面の下側フィルム止め材とから構成し、下側フィルム止め材のフィルム止め溝内に、屋根面前後方向引張材を配置し、上側フィルム止め材と下側フィルム止め材の間に、屋根面左右方向引張材を配置し、上側フィルム止め材におけるフィルム止め溝に透光性フィルムを差し込み固定する。【００２２】
次に、本発明の引張構造の建物は、左右方向に連接して、連棟式の建物とすることができる。例えば、２棟の建物を備えた連棟式の建物とする場合には、一方の第１の建物および他方の第２の建物を共に、上記構成の建物とし、第１の建物および第２の建物の間に位置する平側壁面枠組を、単一の共通平側壁面枠組とすればよい。既設の第１の建物に、第２の建物を増設する場合には、第１の建物を変更することなく、双方の建物の間において引張材の張力を調整するだけでよい。よって、簡単に建物を増設できる。【００２３】
連棟式の建物の場合には、第１、第２の建物の屋根面の間に谷部分ができる。谷部分には、前後方向の中央から前後方向に向けて所定の水勾配の付いた雨樋を配置しておけばよい。
【図面の簡単な説明】
【００２４】
【図１】本発明を適用した３連棟の温室用建物を示す説明図である。
【図２】（ａ）は温室用建物の前側の妻側壁面枠組を示す説明図であり、（ｂ）は前側の妻側アンカー用引張ワイヤを示す説明図である。
【図３】（ａ）は左側の平側壁面枠組を示す説明であり、（ｂ）は中央仕切り枠組を示す説明図であり、（ｃ）は右側の平側壁面枠組を示す説明図であり、（ｄ）は、これらの位置を示す説明図である。
【図４】（ａ）は屋根面を規定している引張ワイヤの配列状態を示す説明図であり、（ｂ）は天井面を規定している引張ワイヤの配列状態を示す説明図である。
【図５】（ａ）は隣接する温室用建物の屋根面の間の谷部分を前後方向から見た場合の説明図であり、（ｂ）は谷部分を左右方向から見た場合の説明図である。
【図６】温室用建物の峰部分に配置されている天窓部分の構造を示す説明図である。
【図７】屋根面における透光性フィルムの取付け構造を示す説明図である。
【図８】アンカー用引張材の具体例を示す説明図である。
【図９】屋根面の別の例を示す説明図である。
【図１０】屋根面の峰部分を示す部分平面図および部分側面図である。
【図１１】屋根面フィルム止め材の上端部分および下端部分を示す説明図である。
【発明を実施するための形態】
【００２５】
以下に、図面を参照して、本発明を適用した引張構造の建物の実施の形態を説明する。以下に述べる実施の形態は、本発明を温室用建物に適用したものであるが、本発明は、温室用建物に限定されるものではない。倉庫、イベント会場等に設置される仮設建物などの各種の建物に適用できることは勿論である。例えば、倉庫等を構築する場合には、壁面、天井面などには、遮光性の壁面パネル、天井パネル等が張り付けられる。
【００２６】
［全体構成］
図１は本実施の形態に係る３連棟式のイチゴ栽培用の温室用建物を示す説明図である。温室用建物１は、例えば妻側の左右方向の長さが１２ｍ、平側の前後方向の長さが５８ｍの長方形の切妻屋根を備え、棟の高さが４．５ｍの温室用建物２（１）、２（２）、２（３）を左右方向に連接したものである。図１においては前後方向の一部を省略して示してある。また、左側の温室用建物２（１）および右側の温室用建物２（３）については外装材を省略して骨組のみを示し、中央の温室用建物２（２）については妻側アンカー用引張ワイヤを省略してある。
【００２７】
温室用建物２（１）〜２（３）は基本的に同一構造であるので、これらを総称して温室用建物２と呼ぶ場合もある。温室用建物２の構造体は、基本的に、金属製の単管および高張力・高強度の引張ワイヤを用いて構成されている
【００２８】
具体的には、同一径の単管を支柱、横架材等として用いて各種形態の単管ジョイントによって連結して構成される前後の妻側壁面枠組３Ｆ、３Ｂ（図２、図４参照）、左右の平側壁面枠組４Ｌ、４Ｒ（図３（ａ）、（ｃ）参照）、および、左右方向の中央位置において前後方向に延びる中央枠組５（図３（ｂ）参照）を備えている。
【００２９】
また、温室用建物２の屋根面６（図４（ａ）参照）および、その下側の天井面７（図４（ｂ）参照）は、引張ワイヤ１１〜１４を前後方向および左右方向に一定のピッチで所定の緊張状態となるように張り渡すことによって形成されている。
【００３０】
引張ワイヤとして、例えば、耐久性の高いステンレススチール製のワイヤを用いている。ポリエステル樹脂などからなるプラスチックワイヤを用いることもできる。また、引張ワイヤの代わりに、例えば、鉄筋コンクリート造の建物に用いられる引張鉄筋などの鋼製の引張材、その他の金属製の長尺状の引張材を用いることもできる。なお、ワイヤは、ロープ、ケーブルと呼ばれる線材を含む広い意味で使用している。
【００３１】
引張ワイヤ１１〜１４が張り渡されている前後の妻側壁面枠組３Ｆ、３Ｂ、左右の平側壁面枠組４Ｌ、４Ｒは、前後の妻側アンカー用引張ワイヤ（図においては前側の引張ワイヤ１５のみを示す。）、および左右の平側アンカー用引張ワイヤ１７、１８によって、それぞれ前後方向の外側および左右方向の外側に引張られている。これらの引張ワイヤ１５、１７、１８は、設置面である地面Ｇに埋設したアンカー鋼材５１に掛止されている。
【００３２】
妻側壁面枠組３Ｆ、３Ｂ、平側壁面枠組４Ｌ、４Ｒには、壁面透光性フィルム８ａが張り付けられている。屋根面６には屋根面透光性フィルム８ｂが張り付けられている。これらの透光性フィルムは、例えばポリオレフィン樹脂などからなる透光性フィルムである。屋根面６の峰の部分には、一定幅で前後方向に延びる換気用の天窓９が形成されている。天窓９は、その上を覆う天窓開閉用フィルム１０を巻き上げることにより開けることが可能である。天窓開閉用フィルム１０はポリオレフィン樹脂等からなる透光性フィルムである。なお、天窓開閉用フィルム１０の下側には、天窓９を覆う状態に防虫ネット（図示せず）が張られている。
【００３３】
隣接する温室用建物２の屋根面６の間には前後方向に延びる谷部分が形成される。これらの谷部分に、当該谷部分に沿って前後方向に延びる雨樋２０が形成されている。雨樋２０は、前後方向の中央から前後方向に向かって所定の水勾配が付いている。
【００３４】
［各部の構成］
（妻側壁面枠組）
図２（ａ）は温室用建物１の前側の妻側壁面枠組３Ｆを示す説明図であり、図２（ｂ）はその部分斜視図である。
【００３５】
図１、図２を参照して説明すると、前側の妻側壁面枠組３Ｆは、左右方向に一定の間隔、例えば、１．５ｍの間隔で一列に地面Ｇから垂直に立てた単管からなる複数本（９本）の妻側支柱２１〜２９を備えている。これらの妻側支柱２１〜２９の上端部には単管からなる左右の垂木材３０が架け渡されている、また、単管からなる３本の妻側横架材３１（１）、３１（２）、３１（３）が所定の間隔で水平に配置されている。例えば、これらの妻側横架材３１（１）〜３１（３）は、地面Ｇから、それぞれ、１．５ｍ、２．５ｍ、３．５ｍの高さ位置に配置されている。
【００３６】
下側の２本の妻側横架材３１（１）、３１（２）は、妻側支柱２１〜２９に水平に架け渡されており、上側の１本の妻側横架材３１（３）は、左右の妻側支柱２３、２７の上端の高さ位置において、妻側支柱２３〜２７の間に水平に架け渡されている。これらの単管の交差部分は、図面において矩形枠で示すように、単管用の直交ジョイント、平行ジョイント、三方向ジョイント等のジョイントによって連結されている。各妻側支柱２１〜２９は地面Ｇに埋設した所定耐力の独立基礎によって支持されている。後側の妻側壁面枠組３Ｂも同様な構成となっている。基礎は独立基礎、布基礎などの各種の構造の基礎を用いることができる。また、妻側壁面枠組３Ｆの外側面には、上下方向に所定の間隔で、水平にフィルム止め材８５が取り付けられ、これを外側から覆う状態に壁面透光性フィルム８ａが張り付けられる。
【００３７】
（平側壁面枠組）
図３（ａ）は左側の平側壁面枠組４Ｌを示す説明図であり、図３（ｂ）は中央枠組５を示す説明図であり、図３（ｃ）は右側の平側壁面枠組４Ｒを示す説明図である。なお、図３（ｄ）は、これらの位置を示す説明図である。
【００３８】
図１および図３（ａ）に示すように、左側の平側壁面枠組４Ｌは、前後方向に一定の間隔、例えば、１ｍの間隔で一列に地面Ｇから垂直に立てた単管からなる同一高さの複数本の平側支柱３３と、これらの平側支柱３３の上端部の間に水平に架け渡した単管からなる平側横架材３４とによって構成されている。本例の温室用建物１は３連棟式のものであるので、最も右側に位置する温室用建物２（３）の右側の平側壁面枠組４Ｒ（３）は平側壁面枠組４Ｌと同一構造とされる。
【００３９】
連棟式の温室用建物１の場合には、左右の温室用建物２（１）、２（３）の間に位置する右側の平側壁面枠組４Ｒは、図３（ｃ）に示すように、前後方向に一定の間隔、例えば、２ｍの間隔で一列に地面Ｇから垂直に立てた単管からなる同一高さの複数本の平側支柱３５と、これらの平側支柱３５の上端部の間に水平に架け渡した単管からなる平側横架材３６と、平側横架材３６と地面Ｇとの間の高さ位置において平側支柱３５の間に水平に架け渡した平側横架材３７とによって構成されている。なお、図示を省略してあるが、平側壁面枠組の外側面にも、上下方向に所定の間隔で、水平にフィルム止め材８５が取り付けられ、これらを外側から覆う状態に壁面透光性フィルム８ａが張り付けられる。
【００４０】
（中央枠組）
左右の平側壁面枠組４Ｌ、４Ｒの中間に位置する中央枠組５は、図３（ｂ）に示すように、前後方向に２ｍの間隔で一列に地面Ｇから垂直に立てた単管からなる複数本の中央支柱４１を備えている。前後方向の両端には前後の妻側支柱２５と共に２本の単管支柱が配置される。中央支柱４１のそれぞれの上端部には、単管からなる棟材４２が水平に架け渡され、屋根面６の峰を規定している。また、棟材４２と地面Ｇとの間において、妻側横架材３１（２）と同一の高さ位置には、中央支柱４１に水平に架け渡した単管からなる中央横架材４３が配置されている。
【００４１】
（屋根面）
図４（ａ）は屋根面６を規定している引張ワイヤ１１、１２の配列状態を示す説明図であり、図４（ｂ）は天井面７を規定している引張ワイヤ１３、１４の配列状態を示す説明図である。
【００４２】
まず、図１、図４（ａ）を参照して説明すると、引張ワイヤ１１は屋根面左右方向引張材であり、左右の平側壁面枠組４Ｌ、４Ｒの上端部の平側横架材３４、３６の間に、前後方向に５０ｃｍの間隔で、左右方向に棟材４２を経由して緊張状態に張り渡されている。また、引張ワイヤ１２は屋根面前後方向引張材であり、前後の妻側壁面枠組３Ｆ、３Ｂの上端部の垂木材３０の間に、左右方向に１．５ｍの間隔で、前後方向に緊張状態で水平に張り渡されている。
【００４３】
（天井面）
図１、図４（ｂ）に示すように、天井面７を規定している引張ワイヤ１３は天井面左右方向引張材であり、左右の平側壁面枠組４Ｌ、４Ｒの上端部の平側横架材３４、３６の間に、前後方向に５０ｃｍの間隔で、左右方向に緊張状態で水平に張り渡されている。同じく、天井面７を規定している引張ワイヤ１４は天井面前後方向引張材であり、前後の妻側壁面枠組３Ｆ、３Ｂの妻側横架材３１（２）の間に、左右方向に１．５ｍの間隔で、前後方向に緊張状態で水平に張り渡されている。
【００４４】
（ワイヤのアンカー部分）
次に、図１、図２（ｂ）から分かるように、妻側アンカー用引張ワイヤ１５は両側のワイヤを除き、左右方向に１．５ｍの間隔で配置され上半部分が二股に分かれて、妻側支柱２１〜２９の上端部および妻側横架材３１（２）に連結されている。各妻側アンカー用引張ワイヤ１５の下端は、地中に埋設された左右方向に水平に延びる長尺状のアンカー用鋼材５１に掛止されている。妻側アンカー用引張ワイヤ１５における地中埋設部分は、保護用の塩化ビニール管５２によって覆い隠されている。
【００４５】
また、左側の平側アンカー用引張ワイヤ１７は前後方向に１ｍの間隔で配置され、図２（ａ）に示すように、左側の平側壁面枠組４Ｌの上端部の平側横架材３４に上端が連結されている。それらの下端は、地中に埋設した前後方向に延びるアンカー枠板５３に掛止されている。また、平側アンカー用引張ワイヤ１７も、地中埋設部分が塩化ビニール管５４によって覆い隠されている。
【００４６】
図５（ａ）は隣接する温室用建物２（１）、２（２）の屋根面６、６の間の谷部分を前後方向から見た場合の説明図であり、図５（ｂ）は左右方向から見た場合の説明図である。図３（ｃ）および図５に示すように、右側の平側壁面枠組４Ｒは、隣接する温室用建物２（１）、２（２）の間において共用される共通平側壁面枠組となっている。ここに配置されている平側アンカー用引張ワイヤ１８は、図３（ｃ）に示すように、２ｍの間隔で、上側の平側横架材３６と地中に埋設したアンカー用鋼材（図示せず）との間に垂直に緊張状態に張り渡されている。また、上側の平側横架材３６と下側の平側横架材３７との間に、５０ｃｍの間隔で、引張ワイヤ３８が緊張状態で垂直に張り渡されている。
【００４７】
（雨樋）
図５に示すように、前後方向の中央から前後方向に向けて所定の水勾配の付いた雨樋２０が配置されている。雨樋２０は、例えば、谷部分に沿って前後方向に延びる板部材６１の上に配置した足場板６２およびその上に配置したカラー鋼板６３等を用いて構成できる。
【００４８】
（天窓）
図６は温室用建物２の峰部分に配置されている天窓部分の構造を示す説明図である。この図を参照して説明すると、切妻式の屋根面６においては、その峰から左右に所定幅だけ離れた位置に、前後方向に延びる溝形断面の窓枠７１が配置されている。窓枠７１はフィルム止め材であり、その上方に開口するフィルム止め溝に屋根面透光性フィルム８ｂの上端縁が差し込み固定されている。棟材４２と、左右の窓枠７１との間は、屋根面透光性フィルム８ｂが張られていない天窓９となっている。
【００４９】
屋根面６の峰に沿って延びている棟材４２には、当該棟材４２に沿って前後方向に延びる峰フィルム止め材７２が取り付けられている。この峰フィルム止め材７２と、屋根面６における窓枠７１よりも谷側の位置にあるフィルム止め材８０との間には、一定の間隔で、左右方向に延びるローラーガイド７３が架け渡されている。フィルム止め材８０は、上フィルム止め材８１と下フィルム止め材８２から構成されている。
【００５０】
ローラーガイド７３の上には、当該ローラーガイド７３に沿って転動可能な状態で、前後方向に延びるフィルム巻き上げローラー７４が配置されている。峰フィルム止め材７２とフィルム巻き上げローラー７４との間に、透光性の天窓開閉用フィルム１０が張り渡されている。
【００５１】
フィルム巻き上げローラー７４は、図１に示すように、前後の妻側壁面３Ｆ、３Ｂに沿って下方に延びている巻き上げ用操作ハンドル７６によって回転させることができる。フィルム巻き上げローラー７４を回転させると、天窓開閉用フィルム１０の巻き取り、巻き出しを行うことができ、これにより、天窓９を開閉できる。天窓開閉用フィルムの巻取り・巻き出し機構は公知であり、これ以上の説明は省略する。
【００５２】
図７は、屋根面透光性フィルム８ｂの取付け構造を示す説明図である。図１および図７を参照して説明すると、屋根面６には、引張ワイヤ１２に沿って配置した長尺状の屋根面フィルム止め材８０が配置されている。屋根面フィルム止め材８０は、上下に開口するように背中合わせに組み付けた溝形断面の上フィルム止め材８１および下フィルム止め材８２を備えている。下フィルム止め材８２のフィルム止め溝８２ａ内を引張ワイヤ１２が延びている。上フィルム止め材８１、下フィルム止め材８２の間を、引張ワイヤ１１が通っている。上フィルム止め材８１の上側を覆う状態に、屋根面透光性フィルム８ｂが配置されている。上フィルム止め材８１のフィルム止め溝８１ａ内に、屋根面透光性フィルム８ｂの一部が上側から挿入されて、当該フィルム止め溝８１ａから外れないように、固定用のばね材８３によって固定されている。
【００５３】
前後の妻側壁面および左右の平側壁面に張り付けられる壁面透光性フィルム８ａも、これらの枠組の横架材に取り付けた溝型断面のフィルム止め材を用いて固定される。このような溝形断面の鋼材であるフィルム止め材を用いたフィルムの張り付け方法は公知である。
【００５４】
［アンカー用引張材の具体例］
平側アンカー用引張ワイヤ１７、１８、妻側アンカー用引張ワイヤ１５として用いるのに適したアンカー用引張材の一例を説明する。以下に、平側アンカー用引張材について説明するが、妻側アンカー用引張材も同様な構造とすることができることは勿論である。
【００５５】
図８（ａ）は、平側アンカー用引張材を示す概略側面図であり、図８（ｂ）はその上部引張ワイヤを示す説明図である。平側アンカー用引張材１７０は、上部ワイヤ１７１と、下部引出ワイヤ１７２と、これらの間に架け渡したターンバックル１７３とから構成されている。
【００５６】
上部ワイヤ１７１はステンレススチール製のワイヤであり、所定長さのワイヤ本体１７１ａと、その両端に形成したループ部１７１ｂ、１７１ｃと、ワイヤ端を覆っている加締め用の金属製の円筒クリップ１７１ｄ、１７１ｅとを備えている。上側のループ部１７１ｂは、平側壁面枠組４Ｌの上端部、例えば平側横架材３４に掛止され、下側のループ部１７１ｃは、ターンバックル１７３の上側のフック１７３ａに掛止される。
【００５７】
下部引出ワイヤ１７２はステンレススチール製のワイヤであり、所定長さのワイヤ本体１７２ａと、その両端に形成したループ部１７２ｂ、１７２ｃと、加締め用の金属製の円筒クリップ１７２ｄ、１７２ｅとを備えている。上側のループ部１７２ｂは、ターンバックル１７３の下側のフック１７３ｂに掛止される。下側のループ部１７２ｃは、地中に埋設されているアンカー用鋼材５１に掛止される。
【００５８】
下部引出ワイヤ１７２の上側のループ部１７２ｂにおいて、ワイヤ端１７２ｆが円筒クリップ１７２ｄから所定の長さ引き出されている。下部引出ワイヤ１７２における円筒クリップ１７２ｄからワイヤ端１７２ｆまでのワイヤ部分１７２ｇは、ワイヤ長調整部として機能する。ワイヤ部分１７２ｇを円筒クリップ１７２ｄの側に押し込むと、ループ部１７２ｃのループ長１７２ｈが長くなり、下部引出ワイヤ１７２の架け渡し長さを長くすることができる。適切な架け渡し長さに調整した後に円筒クリップ１７２ｄを加締める。
【００５９】
下部引出ワイヤ１７２は、地中に埋設したアンカー用鋼材５１から地上に引き出しておく。下部引出ワイヤ１７２の地中埋設部分は、塩化ビニール管などの保護管１７５に通して保護する。上部ワイヤ１７１の上側のループ部１７１ｂを平側壁面枠組４Ｌの上端部に掛止し、その下側のループ部１７１ｃと、地面から引き出されている下部引出ワイヤ１７２の上側のループ部１７２ｂとの間に、ターンバックル１７３を架け渡す。ターンバックル１７３を回して、平側アンカー用引張材１７０を所定の引張状態にする。平側アンカー用引張材１７０は、塩化ビニール管などの保護管１７６によって覆われている。
【００６０】
現場に設置された平側アンカー用引張材１７０の長さにはバラツキがある。下部引出ワイヤ１７２の上側のループ部１７２ｂのループ長１７２ｈを調整することによって、平側アンカー用引張材１７０の架け渡し長さを適切な長さに設定することができる。よって、ターンバックル１７３によって、必要とされる引張力を平側アンカー用引張材１７０に与えることができる。ターンバックル以外の張力調整部材、例えば、ラッチ式のワイヤ巻取り機構を用いることができる。
【００６１】
［屋根面の別の例］
上記の温室用建物１の各建物２（１）〜２（３）においては、屋根面６に屋根面透光性フィルム８ｂを張り付けるために、屋根面６に沿って、所定の間隔で、溝形断面の長尺状の鋼材からなる屋根面フィルム止め材８０が前後方向に水平に配列されている（図７参照）。屋根面６において、水平に配置されている各屋根面フィルム止め材８０におけるフィルム止め溝８１ａは上方に開口している。フィルム止め溝８１ａに溜まった雨水が、屋根面フィルム止め材８０の背面側に回り込み、建物内において屋根面から水漏れが生じるおそれがある。また、屋根面フィルム止め材８０に付着した水滴が屋内に落下するおそれがある。これを回避するために、屋根面フィルム止め材８０を、屋根勾配に沿った方向である左右方向に配置することが望ましい場合がある。
【００６２】
図９は、この場合に用いるのに適した屋根面６の構成例を示す説明図である。この図に示す屋根面１６０の基本構成は上記の屋根面６と同一であり、一定の間隔で棟材４２を経由して左右の平側壁面枠組４Ｌ、４Ｒの間に、一定の間隔で架け渡した引張ワイヤ１１と、図示を省略してあるが、一定の間隔で前後の妻側壁面枠組３Ｆ、３Ｂの間に水平に架け渡した引張ワイヤ１２を備えている。
【００６３】
屋根面１６０において、左右方向に延びる引張ワイヤ１１の間には、２本置きに、１本の屋根面フィルム止め材１８０が配列されている。図において、引張ワイヤ１１を細線で示し、屋根面フィルム止め材１８０を太線で示してある。左側の各屋根面フィルム止め材１８０は、棟材４２から左側の平側壁面枠組４Ｌの上端の平側横架材３４までの間に架け渡されており、右側の各屋根面フィルム止め材１８０は、棟材４２から右側の平側壁面枠向き４Ｒの平側横架材３６までの間に架け渡されている。
【００６４】
図１０（ａ）は屋根面１６０の峰の部分における屋根面フィルム止め材１８０の配列状態を示す部分平面図であり、図１０（ｂ）はその部分側面図である。また、図１１（ａ）は屋根面フィルム止め材１８０の上端部分を示す説明図であり、図１１（ｂ）はその下端部分を示す説明図である。
【００６５】
屋根面フィルム止め材１８０は、溝形断面の鋼材から形成されており、そのフィルム止め溝１８１は上方に開口している。屋根面フィルム止め材１８０の上端部１８０ａは、天窓１０９の窓枠１１０の一端１１０ａに連結されている。窓枠１１０は溝形断面の鋼材から形成されており、そのフィルム止め溝が下方に開口している。窓枠１１０の他方の端１１０ｂは単管からなる棟材４２に連結されている。
【００６６】
屋根面フィルム止め材１８０の下端部１８０ｂは、図１１（ｂ）に示すように、張力付与部であるターンバックル１８４を介して、平側壁面枠組４Ｒの平側横架材３６に連結されている。図１１（ｂ）は屋根面フィルム止め材１８０を下側から見た場合の説明図である。屋根面フィルム止め材１８０の下端部１８０ｂには、ねじ部を備えた連結板１８５が連結されており、連結板１８５のねじ部１８５ａがターンバックル１８４の一端にねじ込まれている。ターンバックル１８４の他端には、平側横架材３６に取り付けた単管クランプ１８６に取り付けたボルト１８７がねじ込まれている。ターンバックル１８４を締めることにより、屋根面フィルム止め材１８０に所定の張力が付与される。
【００６７】
なお、天窓１０９は次のように構成されている。窓枠１１０には、溝形断面の鋼材からなる窓枠１１１が直交方向に架け渡されている。窓枠１１１は、そのフィルム止め溝１１１１ａが上向きの状態で、窓枠１１０に対してクランプ１１２によって固定されている。また、屋根面フィルム止め材１８０の上端部１８０ａにも、溝形断面の鋼材からなる窓枠１１３が直交方向に架け渡されている。窓枠１１３は、そのフィルム止め溝１１３ａが上向きの状態で、クランプ１１４によって上端部１８０ａに固定されている。
【００６８】
天窓１０９は棟材４２と窓枠１１１との間の部分である。天窓１０９には、防虫ネット１１５が張られている。防虫ネット１１５は、峰フィルム止め材７２から窓枠１１１までの間に配置されている。防虫ネット１１５の上には、天窓開閉用フィルム１０が張られている。天窓開閉用フィルム１０の一方の縁部は、峰フィルム止め材７２のフィルム止め溝７２ａに差し込み固定されている。天窓開閉用フィルム１０の他方の縁部は、巻き上げ用ローラー７４に巻き付けられている。
【００６９】
なお、屋根面透光性フィルム８ｂは、屋根面１６０における窓枠１１１から平側壁面枠組４Ｌに至る部分に張り付けられている。屋根面透光性フィルム８ｂの上側の縁部は、窓枠１１１のフィルム止め溝１１１ａに差し込み固定されている。また、屋根面透光性フィルム８ｂの両側の部分は、屋根勾配に沿った方向に配列されている屋根面フィルム止め材１８０の上向きのフィルム止め溝１８１に差し込み固定されている。所定幅の屋根面透光性フィルム８ｂを、必要枚数、屋根面に敷き詰めて、屋根面１６０が覆われている。
【００７０】
この構成の屋根面１６０では、屋根面フィルム止め材１８０が、屋根勾配に沿って、峰から谷側に向けて配列されている。屋根面フィルム止め材１８０の上向きのフィルム止め溝１８１に入った雨水等は、フィルム止め溝１８１に沿って谷側に流れ落ちて雨樋に流れ込む。また、屋根面フィルム止め材１８０に付着した露は、傾斜配置されている屋根面フィルム止め材１８０を伝って谷側に流れ落ちる。よって、建物内において、屋根面フィルム止め材１８０から水滴が落下することを防止できる。
【００７１】
また、本例の屋根面フィルム止め材１８０は、ターンバックル１８４からなる張力付与部によって所定の張力を与えられた状態で、棟材４２と平側壁面枠組４Ｒの上端部との間に架け渡されている。したがって、屋根面フィルム止め材１８０も、屋根面１６０を構成している引張ワイヤ１１と同様に、屋根面左右方向引張材として機能させることができる。なお、ターンバックル以外の張力付与機構を用いることも可能である。
【００７２】
［その他の実施の形態］
本発明による温室用建物は連棟式とせずに一棟のみの構成とすることができる。また、４棟以上の連棟構造とすることも可能である。
【００７３】
また、上記の例において、前後左右の引張ワイヤの配列間隔、妻側支柱および平側支柱の配列間隔、引張ワイヤおよび支柱等の材質、サイズ等は、一例である。これらは、温室用建物の大きさ（前後方向・左右方向の寸法、天井高さ、屋根高さ）、設置場所の環境条件等に応じて適宜設定される。
【図１】
2017030189.tif 000003
【図２】
2017030189.tif 000004
【図３】
2017030189.tif 000005
【図４】
2017030189.tif 000006
【図５】
2017030189.tif 000007
【図６】
2017030189.tif 000008
【図７】
2017030189.tif 000009
【図８】
2017030189.tif 000010
【図９】
2017030189.tif 000011
【図１０】
2017030189.tif 000012
【図１１】
2017030189.tif 000013
【国際調査報告】
2017030189.tif 000014
2017030189.tif 000015
2017030189.tif 000016
2017030189.tif 000017